(57)【要約】  送信前にリスニングが適用されるセル（例えば、アンライセンスバンド）において、適切に通信を行うこと。チャネル状態を測定する第１の参照信号を含む検出測定用信号をリスニング結果に基づいて送信する送信部と、前記検出測定用信号のリソース割当てを制御する制御部と、を有し、前記制御部は、前記第１の参照信号を既存のチャネル状態測定用の第２の参照信号より時間方向に拡張して割当てる。
2017030053.tif 000002
【特許請求の範囲】
【請求項１】
チャネル状態を測定する第１の参照信号を含む検出測定用信号をリスニング結果に基づいて送信する送信部と、
前記検出測定用信号のリソース割当てを制御する制御部と、を有し、
前記制御部は、前記第１の参照信号を既存のチャネル状態測定用の第２の参照信号より時間方向に拡張して割当てることを特徴とする無線基地局。
【請求項２】
前記制御部は、前記第２の参照信号に適用される参照信号構成と比較して、割当てリソース領域が拡張された参照信号構成を用いて前記第１の参照信号の割当てを行うことを特徴とする請求項１に記載の無線基地局。
【請求項３】
前記検出測定用信号に同期信号とセル固有参照信号がさらに含まれており、前記制御部は、前記同期信号及び／又は前記セル固有参照信号の割当てリソースを挟んで配置される第１のリソース領域及び第２のリソース領域に前記第１の参照信号を割当てることを特徴とする請求項２に記載の無線基地局。
【請求項４】
前記送信部は、前記第１の参照信号を所定のアンテナポートを用いて送信し、前記制御部は、所定のアンテナポートに対応する第１の参照信号を、第１のリソース領域と第２のリソース領域の同じ周波数リソース又は異なる周波数リソースに割当てることを特徴とする請求項３に記載の無線基地局。
【請求項５】
前記制御部は、８個のアンテナポートに対して４種類の直交系列を適用すると共に、同じ直交系列を適用するアンテナポートを異なる周波数リソースに割当てることを特徴とする請求項４に記載の無線基地局。
【請求項６】
前記第１の参照信号に適用される参照信号構成のパターン数と前記第２の参照信号に適用される参照信号構成のパターン数が同一であることを特徴とする請求項１から請求項５のいずれかに記載の無線基地局。
【請求項７】
ユーザ端末に対してリスニングを適用するセルが複数設定される場合、前記送信部は、複数のセルで共通に設定される検出測定用信号構成及び／又はチャネル状態測定用の参照信号構成に関する情報をユーザ端末に送信することを特徴とする請求項１から請求項６のいずれかに記載の無線基地局。
【請求項８】
チャネル状態を測定する第１の参照信号を含む検出測定用信号を受信する受信部と、
前記第１の参照信号に対応するチャネル状態情報を送信する送信部と、を有し、
前記受信部は、既存のチャネル状態測定用の第２の参照信号に適用される参照信号構成と比較して割当てリソース領域が拡張された参照信号構成に基づいて前記第１の参照信号を受信することを特徴とするユーザ端末。
【請求項９】
前記受信部は、無線基地局から受信した所定の参照信号構成に関する情報に基づいて、前記検出測定用信号に含まれる前記第１の参照信号と、前記既存のチャネル状態測定用の第２の参照信号に対して異なる参照信号構成を想定して受信動作を行うことを特徴とする請求項８に記載のユーザ端末。
【請求項１０】
リスニング結果に基づいてＤＬ送信を制御する無線基地局の無線通信方法であって、
チャネル状態を測定する第１の参照信号を含む検出測定用信号をリスニング結果に基づいて送信する工程と、
前記検出測定用信号のリソース割当てを行う工程と、を有し、
前記第１の参照信号を既存のチャネル状態測定用の第２の参照信号より時間方向に拡張して割当てることを特徴とする無線通信方法。
【発明の詳細な説明】
【技術分野】
【０００１】
本発明は、次世代移動通信システムにおける無線基地局、ユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてロングタームエボリューション（ＬＴＥ：Long  Term  Evolution）が仕様化された（非特許文献１）。また、ＬＴＥからの更なる広帯域化及び高速化を目的として、ＬＴＥアドバンスト（Ｒｅｌ．１０−１２）が仕様化され、さらに、例えば５Ｇ（5th  generation  mobile  communication  system）と呼ばれるＬＴＥの後継システムが検討されている。【０００３】
Ｒｅｌ．８−１２のＬＴＥでは、通信事業者（オペレータ）に免許された周波数帯域（ライセンスバンド（licensed  band）ともいう）において排他的な運用がなされることを想定して仕様化が行われてきた。ライセンスバンドとしては、例えば、８００ＭＨｚ、１．７ＧＨｚ、２ＧＨｚなどが使用される。【０００４】
近年、スマートフォンやタブレットなどの高機能化されたユーザ端末（ＵＥ：User  Equipment）の普及は、ユーザトラヒックを急激に増加させている。増加するユーザトラヒックを吸収するため、更なる周波数バンドを追加することが求められているが、ライセンスバンドのスペクトラム（licensed  spectrum）には限りがある。【０００５】
このため、Ｒｅｌ．１３  ＬＴＥでは、ライセンスバンド以外に利用可能なアンライセンススペクトラム（unlicensed  spectrum）のバンド（アンライセンスバンド（unlicensed  band）ともいう）を利用して、ＬＴＥシステムの周波数を拡張することが検討されている（非特許文献２）。アンライセンスバンドとしては、例えば、Ｗｉ−Ｆｉ（登録商標）やＢｌｕｅｔｏｏｔｈ（登録商標）を使用可能な２．４ＧＨｚ帯や５ＧＨｚ帯などの利用が検討されている。【０００６】
具体的には、Ｒｅｌ．１３  ＬＴＥでは、ライセンスバンドとアンライセンスバンドの間でのキャリアアグリゲーション（ＣＡ：Carrier  Aggregation）を行うことが検討されている。このように、ライセンスバンドとともにアンライセンスバンドを用いて行う通信をＬＡＡ（License-Assisted  Access）と称する。なお、将来的には、ライセンスバンドとアンライセンスバンドのデュアルコネクティビティ（ＤＣ：Dual  Connectivity）や、アンライセンスバンドのスタンドアローン（ＳＡ：Stand-Alone）もＬＡＡの検討対象となる可能性がある。
【先行技術文献】
【非特許文献】
【０００７】
【非特許文献１】3GPP  TS  36.300  “Evolved  Universal  Terrestrial  Radio  Access  (E-UTRA)  and  Evolved  Universal  Terrestrial  Radio  Access  Network  (E-UTRAN);  Overall  description;  Stage  2”
【非特許文献２】AT&T,  “Drivers,  Benefits  and  Challenges  for  LTE  in  Unlicensed  Spectrum,”  3GPP  TSG  RAN  Meeting  #62  RP-131701
【発明の概要】
【発明が解決しようとする課題】
【０００８】
ところで、アンライセンスバンドのセルでは、ＵＥがＲＲＭ（Radio  Resource  Management）測定などに用いるための信号（例えば、ディスカバリ信号（ＤＳ：Discovery  Signal）と呼ばれる）を送信することが検討されている。【０００９】
しかしながら、アンライセンスバンドのようにＬＢＴを実施するキャリアで、既存のＤＳを用いる場合、ＤＳ内に信号を含まないシンボルを含むため、ＤＳ送信期間中であっても他のシステム（例えば、Ｗｉ−Ｆｉ）のＬＢＴが成功する可能性がある。この場合、他のシステムが信号の送信を開始するため、当該信号とＤＳが衝突する。このため、ＬＡＡにおけるセルサーチ及び／又はＲＲＭ測定を正確（高精度）に行うことが困難となり、通信を適切に行えなくなるおそれがある。【００１０】
本発明はかかる点に鑑みてなされたものであり、送信前にリスニングが適用されるセル（例えば、アンライセンスバンド）において、適切に通信を行うことができるユーザ端末、無線基地局及び無線通信方法を提供することを目的の１つとする。
【課題を解決するための手段】
【００１１】
本発明の一態様の無線基地局は、チャネル状態を測定する第１の参照信号を含む検出測定用信号をリスニング結果に基づいて送信する送信部と、前記検出測定用信号のリソース割当てを制御する制御部と、を有し、前記制御部は、前記第１の参照信号を既存のチャネル状態測定用の第２の参照信号より時間方向に拡張して割当てることを特徴とする。
【発明の効果】
【００１２】
本発明によれば、送信前にリスニングが適用されるセル（例えば、アンライセンスバンド）において、適切に通信を行うことができる。
【図面の簡単な説明】
【００１３】
【図１】既存のＤＲＳの無線リソース構成の一例を示す図である。
【図２】図２Ａ及び図２Ｂは、時間的に連続して信号をマッピングしたＤＲＳの無線リソース構成の一例を示す図である。
【図３】図３Ａ及び図３Ｂは、本実施の形態に係る拡張ＣＳＩ−ＲＳのマッピング方法の一例を示す図である。
【図４】本実施の形態に係る拡張ＣＳＩ−ＲＳのマッピング方法の他の例を示す図である。
【図５】図５Ａ及び図５Ｂは、本実施の形態に係る拡張ＣＳＩ−ＲＳのマッピング方法の他の例を示す図である。
【図６】図６Ａ及び図６Ｂは、本実施の形態に係る拡張ＣＳＩ−ＲＳのマッピング方法の他の例を示す図である。
【図７】本実施の形態に係る拡張ＣＳＩ−ＲＳのマッピング方法の他の例を示す図である。
【図８】本実施の形態に係る拡張ＣＳＩ−ＲＳと既存ＣＳＩ−ＲＳに対するユーザ端末の受信動作を説明する図である。
【図９】本実施の形態に係る無線通信システムの一例を示す概略図である。
【図１０】本実施の形態に係る無線基地局の全体構成の説明図である。
【図１１】本実施の形態に係る無線基地局の機能構成の説明図である。
【図１２】本実施の形態に係るユーザ端末の全体構成の説明図である。
【図１３】本実施の形態に係るユーザ端末の機能構成の説明図である。
【図１４】ＤＭＴＣ内においてＤＲＳとＤＬデータが多重する場合の一例を示す図である。
【図１５】図１５Ａ及び図１５Ｂは、本実施の形態に係るＤＬデータと多重する場合のＤＲＳ内のＣＳＩ−ＲＳ構成の一例を示す図である。
【図１６】図１６Ａ及び図１６Ｂは、本実施の形態に係るＤＲＳと報知情報のマッピング方法の一例を示す図である。
【発明を実施するための形態】
【００１４】
アンライセンスバンドでＬＴＥ／ＬＴＥ−Ａを運用するシステム（例えば、ＬＡＡシステム）においては、他事業者のＬＴＥ、Ｗｉ−Ｆｉ又はその他のシステムとの共存のため、干渉制御機能が必要になると考えられる。なお、アンライセンスバンドでＬＴＥ／ＬＴＥ−Ａを運用するシステムは、運用形態がＣＡ、ＤＣ又はＳＡのいずれであるかに関わらず、総称して、ＬＡＡ、ＬＡＡ−ＬＴＥ、ＬＴＥ−Ｕ、Ｕ−ＬＴＥなどと呼ばれてもよい。
【００１５】
一般に、アンライセンスバンドのキャリア（キャリア周波数又は単に周波数と呼ばれてもよい）を用いて通信を行う送信ポイント（例えば、無線基地局（ｅＮＢ）、ユーザ端末（ＵＥ）など）は、当該アンライセンスバンドのキャリアで通信を行っている他のエンティティ（例えば、他のＵＥ）を検出した場合、当該キャリアで送信を行うことが禁止されている。
【００１６】
このため、送信ポイントは、送信タイミングよりも所定期間前のタイミングで、リスニング（ＬＢＴ）を実行する。具体的には、ＬＢＴを実行する送信ポイントは、送信タイミングよりも所定期間前のタイミングで、対象となるキャリア帯域全体（例えば、１コンポーネントキャリア（ＣＣ：Component  Carrier））をサーチし、他の装置（例えば、無線基地局、ＵＥ、Ｗｉ−Ｆｉ装置など）が当該キャリア帯域で通信しているか否かを確認する。
【００１７】
なお、本明細書において、リスニングとは、ある送信ポイント（例えば、無線基地局、ユーザ端末など）が信号の送信を行う前に、他の送信ポイントなどから所定レベル（例えば、所定電力）を超える信号が送信されているか否かを検出／測定する動作を指す。また、無線基地局及び／又はユーザ端末が行うリスニングは、ＬＢＴ、ＣＣＡ、キャリアセンスなどと呼ばれてもよい。
【００１８】
送信ポイントは、他の装置が通信していないことを確認できた場合、当該キャリアを用いて送信を行う。例えば、送信ポイントは、ＬＢＴで測定した受信電力（ＬＢＴ期間中の受信信号電力）が所定の閾値以下である場合、チャネルがアイドル状態（ＬＢＴｉｄｌｅ）であると判断し送信を行う。「チャネルがアイドル状態である」とは、言い換えると、特定のシステムによってチャネルが占有されていないことをいい、チャネルがアイドルである、チャネルがクリアである、チャネルがフリーである、などともいう。
【００１９】
一方、送信ポイントは、対象となるキャリア帯域のうち、一部の帯域でも他の装置が使用中であることを検出した場合、自らの送信処理を中止する。例えば、送信ポイントは、当該帯域に係る他の装置からの信号の受信電力が、所定の閾値を超過していることを検出した場合、チャネルはビジー状態（ＬＢＴｂｕｓｙ）であると判断し、送信を行わない。ＬＢＴｂｕｓｙの場合、当該チャネルは、改めてＬＢＴを行いアイドル状態であることが確認できた後に初めて利用可能となる。なお、ＬＢＴによるチャネルのアイドル状態／ビジー状態の判定方法は、これに限られない。
【００２０】
ＬＢＴのメカニズム（スキーム）としては、ＦＢＥ（Frame  Based  Equipment）及びＬＢＥ（Load  Based  Equipment）が検討されている。両者の違いは、送受信に用いるフレーム構成、チャネル占有時間などである。ＦＢＥは、ＬＢＴに係る送受信の構成が固定タイミングを有するものである。また、ＬＢＥは、ＬＢＴに係る送受信の構成が時間軸方向で固定でなく、需要に応じてＬＢＴが行われるものである。
【００２１】
具体的には、ＦＢＥは、固定のフレーム周期をもち、所定のフレームで一定時間（ＬＢＴ時間（LBT  duration）などと呼ばれてもよい）キャリアセンスを行った結果、チャネルが使用可能であれば送信を行うが、チャネルが使用不可であれば次のフレームにおけるキャリアセンスタイミングまで送信を行わずに待機するというメカニズムである。
【００２２】
一方、ＬＢＥは、キャリアセンス（初期ＣＣＡ）を行った結果チャネルが使用不可であった場合はキャリアセンス時間を延長し、チャネルが使用可能となるまで継続的にキャリアセンスを行うというＥＣＣＡ（Extended  CCA）手順を実施するメカニズムである。ＬＢＥでは、適切な衝突回避のためランダムバックオフが必要である。
【００２３】
なお、キャリアセンス時間（ＬＢＴ時間、キャリアセンス期間などと呼ばれてもよい）とは、１つのＬＢＴ結果を得るために、リスニングなどの処理を実施してチャネルの使用可否を判断するための時間（例えば、１シンボル長）である。
【００２４】
送信ポイントは、ＬＢＴ結果に応じて所定の信号（例えば、チャネル予約（channel  reservation）信号）を送信することができる。ここで、ＬＢＴ結果とは、ＬＢＴが設定されるキャリアにおいてＬＢＴにより得られたチャネルの空き状態に関する情報（例えば、ＬＢＴｉｄｌｅ、ＬＢＴｂｕｓｙ）のことをいう。
【００２５】
以上述べたように、ＬＡＡシステムにおいて、送信ポイントに、ＬＢＴメカニズムに基づく同一周波数内における干渉制御を導入することにより、ＬＡＡとＷｉ−Ｆｉとの間の干渉、ＬＡＡシステム間の干渉などを回避することができる。また、ＬＡＡシステムを運用するオペレータ毎に、送信ポイントの制御を独立して行う場合であっても、ＬＢＴによりそれぞれの制御内容を把握することなく干渉を低減することができる。
【００２６】
ところで、ＬＡＡシステムでも、ＵＥに対するアンライセンスバンドのＳＣｅｌｌ（Secondary  Cell）の設定または再設定などを行うため、ＵＥがＲＲＭ（Radio  Resource  Management）測定により周辺に存在するＳＣｅｌｌを検出し、受信品質を測定した後、ネットワークへ報告を行うことが必要となる。ＬＡＡにおけるＲＲＭ測定のための信号は、Ｒｅｌ．１２で規定されたディスカバリ信号（ＤＳ：Discovery  Signal）をベースに検討されている。
【００２７】
なお、ＬＡＡにおけるＲＲＭ測定のための信号は、検出測定信号、ディスカバリ参照信号（ＤＲＳ：Discovery  Reference  Signal）、ディスカバリ信号（ＤＳ：Discovery  Signal）、ＬＡＡ  ＤＲＳ、ＬＡＡ  ＤＳなどと呼ばれてもよい。また、アンライセンスバンドのＳＣｅｌｌは、例えばＬＡＡ  ＳＣｅｌｌと呼ばれてもよい。
【００２８】
ＬＡＡ  ＤＲＳは、Ｒｅｌ．１２  ＤＲＳと同様に、既存システム（例えば、ＬＴＥ  Ｒｅｌ．１０−１２）における同期信号（ＰＳＳ（Primary  Synchronization  Signal）／ＳＳＳ（Secondary  Synchronization  Signal））とＣＲＳ（Cell-specific  Reference  Signal）との組み合わせ、又は既存システムにおける同期信号（ＰＳＳ／ＳＳＳ）とＣＲＳとＣＳＩ−ＲＳ（Channel  State  Information  Reference  Signal）との組み合わせなどで構成することが考えられる。
【００２９】
また、ネットワーク（例えば、ｅＮＢ）は、ＵＥに対して、周波数ごとにＬＡＡ  ＤＲＳのＤＭＴＣ（Discovery  Measurement  Timing  Configuration）を設定することができる。ＤＭＴＣは、ＤＲＳの送信周期（ＤＭＴＣ周期（DMTC  periodicity）などと呼ばれてもよい）や、ＤＲＳ測定タイミングのオフセットなどに関する情報を含む。
【００３０】
ＤＲＳは、ＤＭＴＣ周期ごとに、ＤＭＴＣ期間（DMTC  duration）の中で送信される。ここで、Ｒｅｌ．１２では、ＤＭＴＣ期間は６ｍｓ長固定である。また、ＤＭＴＣ期間の中で送信されるＤＳの長さ（ＤＲＳ期間（DRS  occasion）、ＤＳ期間、ＤＲＳバースト、ＤＳバーストなどと呼ばれてもよい）は１ｍｓ以上５ｍｓ以下である。ＬＡＡでも、同様の設定とすることが検討されている。なお、ＬＡＡ  ＤＳでは、ＬＢＴ時間を考慮して、ＤＲＳ期間を１サブフレーム以下としてもよいし、１サブフレーム以上としてもよい。
【００３１】
ＵＥは、ネットワークから通知されるＤＭＴＣによって、ＬＡＡ  ＤＲＳの測定期間のタイミングや周期を把握し、ＬＡＡ  ＤＳの測定を実施する。さらにＲＲＭ測定に加え、ＤＲＳを用いてＣＳＩ測定を行うことが検討されている。例えば、ＤＲＳに含まれるＣＲＳやＣＳＩ−ＲＳを用いてＣＳＩ測定を行う。
【００３２】
既存のＤＲＳ（Ｒｅｌ．１２  ＤＲＳ）では、ＰＳＳ、ＳＳＳ、ＣＲＳ  ｐｏｒｔ  ０が必ず含まれ、ＣＳＩ−ＲＳ  ｐｏｒｔ  １５は上位レイヤシグナリングで設定（configure）された場合に含まれる、とＵＥは想定する。
【００３３】
図１は、既存のＤＲＳの無線リソース構成の一例を示す図である。図１に示すように、既存のＤＲＳでは、ＣＲＳ（ｐｏｒｔ  ０）は、シンボル＃０、＃４、＃７及び＃１１にマッピングされる。また、ＰＳＳ及びＳＳＳは、それぞれシンボル＃６及び＃５にマッピングされる。また、ＣＳＩ−ＲＳは、候補ＣＳＩ−ＲＳリソース（candidate  CSI-RS  resources）内でマッピングされる。既存のＤＲＳの候補ＣＳＩ−ＲＳリソースとしては、シンボル＃９及び＃１０、又は＃１２及び＃１３が利用可能である。候補ＣＳＩ−ＲＳリソースは、ＣＳＩ−ＲＳ候補シンボルと呼ばれてもよい。
【００３４】
アンライセンスバンドのようにＬＢＴを実施するキャリアで、既存のＤＲＳを用いる場合、ＤＲＳ内に信号を含まないシンボル（例えば、図１のシンボル＃１−＃３、＃８）を含むため、ＤＲＳ送信期間中であっても他のシステム（例えば、Ｗｉ−Ｆｉ）のＬＢＴが成功する可能性がある。この場合、他のシステムが信号の送信を開始するため、当該信号とＤＲＳが衝突する。このため、ＬＡＡにおけるセルサーチ及び／又はＲＲＭ測定を正確（高精度）に行うことが困難となり、通信を適切に行えなくなるおそれがある。
【００３５】
そこで、本発明者等は、ＬＢＴ成功後に、時間的に連続したＬＡＡ  ＤＲＳの送信を行い、Ｗｉ−Ｆｉなど他システムに割り込まれないようにするための信号構成を適用することが有効となる点に着目した。図２は、時間的に連続したＤＳの構成の一例を示す図である。
【００３６】
図２Ａは、１サブフレームの末尾（シンボル＃１２及び＃１３の少なくとも１シンボル）でＬＢＴが行われる場合を想定し、それ以外のシンボル（シンボル＃０−＃１１）でＬＡＡ  ＤＲＳを送信する例を示す。また、図２Ｂは、１サブフレームの最初（シンボル＃０−＃３の少なくとも１シンボル）にＬＢＴが行われる場合を想定し、それ以外のシンボル（シンボル＃４−＃１３）でＬＡＡ  ＤＲＳを送信する例を示す。
【００３７】
図２Ａでは、ＬＡＡ  ＤＲＳには、シンボル＃１及び＃８にＣＲＳ  ｐｏｒｔ  ２／３がマッピングされている。また、図２Ａでは、シンボル＃２及び＃３に追加の信号（例えば、ＳＳＳ、報知情報など）がマッピングされている。図２Ｂでは、ＬＡＡ  ＤＲＳには、シンボル＃８にＣＲＳ  ｐｏｒｔ  ２／３がマッピングされている。
【００３８】
しかし、本発明者等は、図２のようにＬＡＡ  ＤＲＳを構成する場合、以下のような問題が生じることを見出した。具体的には、図２Ａのように、ＣＳＩ−ＲＳ候補シンボルを連続する１つの時間区間（シンボル＃９及び＃１０）に限定すると、利用できるＣＳＩ−ＲＳ構成（CSI-RS  configuration）の数が少なくなってしまうため，セル間でリソースが衝突する可能性が高くなる。
【００３９】
また、図２Ｂのように、複数の時間区間にＣＳＩ−ＲＳ候補シンボル（シンボル＃９及び＃１０、又は＃１２及び＃１３）を割当て可能としても、利用するＣＳＩ−ＲＳ構成次第でどこのシンボルで送るかが変わってしまい、ＤＳの時間的連続性や時間長が保てなくなる。例えば、ＣＳＩ−ＲＳをシンボル＃９及び＃１０にマッピングすると、シンボル＃１２及び＃１３では無送信となり、ＤＲＳの時間長が短くなる。また、ＣＳＩ−ＲＳをシンボル＃１２及び＃１３にマッピングすると、シンボル＃９及び＃１０でＤＲＳが時間的に連続しなくなってしまう。
【００４０】
このように、本発明者らは、これまで検討されているＤＲＳ構成では、ＣＳＩ−ＲＳを柔軟にマッピングすることができず、送信前にリスニングが適用されるセル（例えば、アンライセンスバンド）において求められる信号特性を実現できないことに着目した。そこで、本発明者らは、ＤＲＳでＣＳＩ−ＲＳをマッピング可能なシンボル（ＲＥ：Resource  Element）を、ＤＲＳ期間（ＤＲＳバースト）内で時間方向に拡張することを着想した。
【００４１】
また、本発明者らは、ＤＲＳ内でデータを送信しない場合、データ復調用の参照信号（例えば、ＤＭＲＳ（DeModulation  Reference  Signal））、下り制御情報（ＰＤＣＣＨ／ＥＰＤＣＣＨ）などが不要であることに着目した。そして、本発明者らは、既存のＣＳＩ−ＲＳ構成と比較して、このような不要な信号のリソース領域にＣＳＩ−ＲＳをマッピング可能なシンボル（又は、リソースエレメント）が拡張された構成を用いて、ＤＲＳに含まれるＣＳＩ−ＲＳのマッピングを行うことを見出した。
【００４２】
本発明の一実施形態によれば、検出測定用信号（例えば、ＤＲＳ）内で複数のシンボルに渡ってＣＳＩ−ＲＳを送信することができ、時間長や時間的連続性がＣＳＩ−ＲＳ構成に依らず維持できるようになる。また、参照信号の構成パターン（リソースマッピングパターン）の数を多く確保することができるため、送信前にリスニングが適用されるセル（例えば、アンライセンスバンド）であっても、ＤＲＳに基づいて高精度なＣＳＩ測定を実施できるようになる。
【００４３】
以下に、本実施の形態について図面を参照して詳細に説明する。なお、本実施の形態では、リスニングが設定されるキャリアをアンライセンスバンドとして説明するが、これに限られない。本実施の形態は、リスニングが設定される周波数キャリア（又は、セル）であれば、ライセンスバンド又はアンライセンスバンドに関わらず適用することができる。また、本実施の形態では、無線基地局としてスモールセルを用いた場合を示すが、これに限らない。
【００４４】
また、以下の説明では、ＬＴＥ／ＬＴＥ−Ａシステムにおいてリスニングを適用する場合について説明するが、本実施の形態はこれに限られない。信号送信前にリスニングを適用し、チャネル状態情報参照信号を用いてチャネル状態の推定を行う場合であれば適用可能である。
【００４５】
また、以下の説明では、ディスカバリ信号に含まれるチャネル状態測定用の参照信号構成について説明するが、本実施の形態はこれに限られず、リスニング結果に基づいてデータと多重せずに送信するチャネル状態測定用の参照信号に対しても適用することができる。
【００４６】
（第１の態様）
第１の態様では、ディスカバリ信号に含まれる（ＤＲＳ内で送信される）チャネル状態測定用の参照信号に適用する参照信号構成と、当該参照信号の構成パターン（リソースマッピング）の一例について説明する。
【００４７】
図３は、リスニング（ＬＢＴｉｄｌｅ）後に送信されるＤＲＳバースト内の参照信号（ＣＳＩ−ＲＳ）の割当ての一例を示している。図３では、シンボル＃０、＃１、＃４、＃７、＃８、＃１１にセル固有参照信号（ＣＲＳ）がマッピングされ、シンボル＃５、＃６に同期信号（ＰＳＳ、ＳＳＳ）がマッピングされる場合を示している。また、シンボル＃２、＃３、＃９、＃１０がチャネル状態を測定する参照信号（例えば、ＣＳＩ−ＲＳ）の割当て候補領域となっている。なお、ＣＲＳや同期信号の割当て位置はこれに限られず、他の参照信号を割当てることも可能である。
【００４８】
図３において、無線基地局は、セル固有信号と同期信号を挟んで配置される第１のリソース領域（シンボル＃２、＃３）と第２のリソース領域（シンボル＃９、＃１０）にＣＳＩ−ＲＳ（拡張ＣＳＩ−ＲＳ）をマッピングする。つまり、無線基地局は、シンボル＃９、＃１０に加えてシンボル＃２、＃３に対してもＣＳＩ−ＲＳ（拡張ＣＳＩ−ＲＳ）をマッピングすることにより、既存のチャネル状態測定用のＣＳＩ−ＲＳより時間方向に拡張して割当てを行う。
【００４９】
なお、既存のチャネル状態測定用のＣＳＩ−ＲＳとは、例えば、下り共有チャネル及び／又は下り制御チャネルと多重して送信されるＣＳＩ−ＲＳ、リスニングを適用せずに（ライセンスバンドで）送信されるディスカバリ信号に含まれるＣＳＩ−ＲＳ等を指す。
【００５０】
また、無線基地局は、複数のアンテナポートを利用して拡張ＣＳＩ−ＲＳを送信することができる。例えば、無線基地局がＣＳＩ−ＲＳを最大８個のアンテナポート（例えば、ｐ＝１５〜２２）で送信する場合を想定する。この場合、無線基地局は、１、２、４又は８個のアンテナポートを利用してＣＳＩ−ＲＳを送信することができる。また、無線基地局は、１個のアンテナポートで送信する場合にはポート１５（ｐ＝１５）を利用し、２個のアンテナポートで送信する場合にはポート１５、１６（ｐ＝１５、１６）を利用し、４個のアンテナポートで送信する場合にはポート１５−１８（ｐ＝１５―１８）を利用し、８個のアンテナポートで送信する場合にはポート１５−２２（ｐ＝１５―２２）を利用することができる。なお、ＣＳＩ−ＲＳの送信に利用できるアンテナポート数、アンテナポート番号はこれに限られない。
【００５１】
無線基地局がポート１５でＣＳＩ−ＲＳを送信する場合、シンボル＃２、＃３、＃９、＃１０に対して、生成した参照信号系列に第１の直交符号（例えば、［＋１，＋１，＋１，＋１］を掛けてマッピングする。また、ポート１６でＣＳＩ−ＲＳを送信する場合、シンボル＃２、＃３、＃９、＃１０に対して、生成した参照信号系列に第２の直交符号（例えば、［＋１，＋１，−１，−１］を掛けてマッピングする。また、ポート１７でＣＳＩ−ＲＳを送信する場合、シンボル＃２、＃３、＃９、＃１０に対して、生成した参照信号系列に第２の直交符号（例えば、［＋１，−１，＋１，−１］を掛けてマッピングする。また、ポート１８でＣＳＩ−ＲＳを送信する場合、シンボル＃２、＃３、＃９、＃１０に対して、生成した参照信号系列に第２の直交符号（例えば、［＋１，−１，−１，＋１］を掛けてマッピングする。ポート番号と直交符号との対応関係はこの例に限られない。
【００５２】
無線基地局は、拡張ＣＳＩ−ＲＳの参照信号系列を、既存のＣＳＩ−ＲＳと同様の生成式を利用して生成することができる。また、ポート１９−２２については、それぞれポート１５−１８と同じ系列・拡散符号を用いて、別の周波数リソースにマッピングする構成とすることができる。例えば、図３では、８個のアンテナポートに対して４種類の直交符号（直交系列）を適用すると共に、同じ直交系列を適用するアンテナポートを異なる周波数リソースに割当てることができる。
【００５３】
また、各アンテナポートに対応するＣＳＩ−ＲＳのマッピング方法として、無線基地局は、シンボル間（第１のリソース領域と第２のリソース領域間）で同一の周波数リソースに同じアンテナポートをマッピングすることができる（図３Ａ参照）。図３Ａでは、第１のリソース領域（シンボル＃２、＃３）と第２のリソース領域（シンボル＃９、＃１０）に所定のアンテナポート（アンテナポート１５−１８、又はアンテナポート１９−２２）をマッピングする際、同じ周波数リソースにマッピングする場合を示している。このように、シンボル間で同一周波数リソースに同じアンテナポートをマッピングすることにより、例えば時間的に離れた同じ周波数リソースを高精度な周波数オフセット補正に利用できる。
【００５４】
あるいは、無線基地局は、シンボル間（第１のリソース領域と第２のリソース領域間）で異なる周波数リソースに同じアンテナポートをマッピングすることができる（図３Ｂ参照）。図３Ｂでは、第１のリソース領域と第２のリソース領域に所定のアンテナポートをマッピングする際、異なる周波数リソースにマッピングする場合を示している。つまり、図３Ｂでは、第１のリソース領域の第１の周波数リソースと第２のリソース領域の第２の周波数リソースにアンテナポート１５−１８を割当て、第１のリソース領域の第２の周波数リソースと第２のリソース領域の第１の周波数リソースにアンテナポート１９−２２を割当てている。このように、シンボル間で異なる周波数リソースに同じアンテナポートをマッピングすることにより、参照信号が時間周波数的により分散された形で配置されるため高精度なＣＳＩ測定を行うことができる。
【００５５】
シンボル間の異なる周波数リソースに所定のアンテナポートをマッピングする場合、図３Ｂでは、アンテナポート１５−１８と、アンテナポート１９−２２の割当てに対して２種類の周波数リソースを利用する場合を示しているが、これに限られない。例えば、第１のリソース領域の第１の周波数リソースと第２のリソース領域の第２の周波数リソースにアンテナポート１５−１８を割当て、第１のリソース領域の第３の周波数リソースと第２のリソース領域の第４の周波数リソースにアンテナポート１９−２２を割当ててもよい（図４参照）。図４に示すように、複数の周波数リソースに分散してアンテナポートを割当てることにより、特に８アンテナポート利用の場合により時間周波数的に分散された参照信号を用いて高精度なＣＳＩ測定を行うことができる。
【００５６】
また、無線基地局は、図３に示すように拡張ＣＳＩ−ＲＳを送信する場合、既存のＣＳＩ−ＲＳと比較して割当てリソース領域（リソースエレメント）が拡張された参照信号構成（拡張参照信号構成）を用いてマッピングを制御することができる。例えば、無線基地局は、第１の領域リソース領域（シンボル＃２、＃３）と第２のリソース領域（シンボル＃９、＃１０）の全サブキャリアをＣＳＩ−ＲＳリソース候補として利用する。
【００５７】
仮に、図３に示すようにシンボル＃０−＃１１までの範囲で既存のＣＳＩ−ＲＳを割当てる場合、シンボル＃９、＃１０と、シンボル＃５、＃６の一部のサブキャリアがＣＳＩ−ＲＳリソース候補となる。但し、シンボル＃５、＃６に他の信号（例えば、同期信号）がマッピングされる場合、既存のＣＳＩ−ＲＳのＣＳＩ−ＲＳリソース候補はシンボル＃９、＃１０に制限される。この場合、利用できるＣＳＩ−ＲＳの構成（CSI-RS  configuration）数が低減するため、セル間でリソース衝突が生じやすくなる。
【００５８】
これに対し、図３に示す拡張ＣＳＩ−ＲＳでは、既存のＣＳＩ−ＲＳと比較して割当てリソース領域（リソースエレメント）が拡張された参照信号構成を用いることができるため、参照信号構成のパターン数を確保することが可能となる。その結果、セル間でのリソース衝突を抑制することができる。また、所定のアンテナポートに対応する参照信号を、既存のＣＳＩ−ＲＳより時間方向に拡張してマッピングする（例えば、シンボル＃２、＃３、＃９、＃１０）ことにより、時間長や時間的連続性を参照信号構成によらず維持することができるため、チャネル状態の測定品質を向上することができる。
【００５９】
＜参照信号の構成パターン数＞
また、本実施の形態におけるＣＳＩ−ＲＳの参照信号構成パターン数（CSI-RS  configuration  pattern数）は、既存のＣＳＩ−ＲＳと同一となるように設定することができる。例えば、既存のＣＳＩ−ＲＳでは、ＦＤＤかつｎｏｒｍａｌ  ＣＰ（Cyclic  Prefix）の場合、アンテナポート数が１−２の場合、参照信号構成数が２０に設定され、アンテナポート数が４の場合、参照信号構成数が１０に設定され、アンテナポート数が８の場合、参照信号構成数が５に設定される。
【００６０】
そのため、拡張ＣＳＩ−ＲＳ（例えば、リスニング後のＤＲＳで送信されるＣＳＩ−ＲＳ）についても、アンテナポート数が１−２の場合に参照信号構成数を２０に設定し、アンテナポート数が４の場合に参照信号構成数を１０に設定し、アンテナポート数が８の場合に参照信号構成数を５に設定することができる。
【００６１】
例えば、拡張ＣＳＩ−ＲＳを送信するアンテナポート数が１−２の場合、参照信号の構成間で異なる直交系列及び／又は異なる時間周波数リソースを利用して２０パターンの参照信号構成を定義することができる。この場合、図５に示すように、直交系列を用いて別々の参照信号構成（参照信号構成のインデックス）として、同じリソースにマッピングした構成を利用することができる。図５では、直交系列［＋１，＋１，＋１，＋１］を適用した参照信号構成＃Ｘ（図５Ａ参照）と、直交系列［＋１，−１，＋１，−１］を適用した参照信号構成＃Ｙ（図５Ｂ参照）を同じ時間周波数リソースにマッピングする場合を示している。
【００６２】
また、アンテナポート数が４の場合、各参照信号構成間で異なる時間周波数リソースを利用して１０パターンの参照信号構成を定義することができる。この場合、各アンテナポートに対してそれぞれ異なる直交系列（４種類の直交系列）を適用することができる。同様にアンテナポート数が８の場合、各アンテナポートに対してそれぞれ異なる直交系列（４種類の直交系列）を適用する共に、各参照信号構成間で異なる時間周波数リソースを利用して５パターンの参照信号構成を定義することができる。
【００６３】
このように、拡張ＣＳＩ−ＲＳの参照信号構成（インデックス）を、既存のＣＳＩ−ＲＳの参照信号構成（インデックス）の数と同様に定義することにより、ユーザ端末に通知する参照信号構成（インデックス）を共通に設定することも可能となる。この場合、ユーザ端末は、受信した参照信号の種別（例えば、既存のＣＳＩ−ＲＳと、ＤＲＳに含まれるＣＳＩ−ＲＳ）に応じて、異なる参照信号構成を想定して受信動作を制御することができる。なお、無線基地局は、拡張ＣＳＩ−ＲＳの参照信号構成（インデックス）と、既存のＣＳＩ−ＲＳの参照信号構成（インデックス）に関する情報をそれぞれユーザ端末に通知してもよい。また、拡張ＣＳＩ−ＲＳの参照信号構成のパターン数を既存のＣＳＩ−ＲＳの参照信号構成のパターン数より多く設定することも可能である。
【００６４】
（第２の態様）
第２の態様では、ＤＲＳに含まれるＣＳＩ−ＲＳに適用する参照信号構成と、当該参照信号の構成パターン（リソースマッピング）の他の例について説明する。なお、第２の態様では、第１の態様と異なる参照信号のマッピング方法に関するものであるため、第１の態様と異なる部分について以下に説明する。
【００６５】
図６は、リスニング（ＬＢＴｉｄｌｅ）後に送信されるＤＲＳバースト内の参照信号の割当ての一例を示している。図６では、シンボル＃４、＃７、＃８、＃１１にセル固有参照信号（ＣＲＳ）がマッピングされ、シンボル＃５、＃６に同期信号（ＰＳＳ、ＳＳＳ）がマッピングされる場合を示している。また、シンボル＃９、＃１０、＃１２、＃１３がチャネル状態を測定する参照信号（例えば、ＣＳＩ−ＲＳ）の割当て候補領域となっている。なお、ＣＲＳや同期信号の割当て位置はこれに限られず、他の参照信号を割当てることも可能である。
【００６６】
図６において、無線基地局は、セル固有信号を挟んで配置される第１のリソース領域（シンボル＃９、＃１０）と第２のリソース領域（シンボル＃１２、＃１３）にＣＳＩ−ＲＳ（拡張ＣＳＩ−ＲＳ）をマッピングする。つまり、無線基地局は、シンボル＃９、＃１０、＃１２、＃１３に対してＣＳI−ＲＳ（拡張ＣＳＩ−ＲＳ）をマッピングすることにより、既存のＣＳＩ−ＲＳより時間方向に拡張して割当てを行う。
【００６７】
無線基地局がポート１５でＣＳＩ−ＲＳを送信する場合、シンボル＃９、＃１０、＃１２、＃１３に対して、生成した参照信号系列に第１の直交符号（例えば、［＋１，＋１，＋１，＋１］を掛けてマッピングする。また、ポート１６でＣＳＩ−ＲＳを送信する場合、シンボル＃９、＃１０、＃１２、＃１３に対して、生成した参照信号系列に第２の直交符号（例えば、［＋１，＋１，−１，−１］を掛けてマッピングする。また、ポート１７でＣＳＩ−ＲＳを送信する場合、シンボル＃９、＃１０、＃１２、＃１３に対して、生成した参照信号系列に第２の直交符号（例えば、［＋１，−１，＋１，−１］を掛けてマッピングする。また、ポート１８でＣＳＩ−ＲＳを送信する場合、シンボル＃９、＃１０、＃１２、＃１３に対して、生成した参照信号系列に第２の直交符号（例えば、［＋１，−１，−１，＋１］を掛けてマッピングする。
【００６８】
無線基地局は、拡張ＣＳＩ−ＲＳの参照信号系列を、既存のＣＳＩ−ＲＳと同様の生成式を利用して生成することができる。また、ポート１９−２２については、それぞれポート１５−１８と同じ系列・拡散符号を用いて、別の周波数リソースにマッピングする構成とすることができる。例えば、図６では、８個のアンテナポートに対して４種類の直交系列を適用すると共に、同じ直交系列を適用するアンテナポートを異なる周波数リソースに割当てることができる。
【００６９】
また、各アンテナポートに対応するＣＳＩ−ＲＳのマッピング方法として、無線基地局は、シンボル間（第１のリソース領域と第２のリソース領域間）で同一の周波数リソースに同じアンテナポートをマッピングすることができる（図６Ａ参照）。図６Ａでは、第１のリソース領域（シンボル＃９、＃１０）と第２のリソース領域（シンボル＃１２、＃１３）に所定のアンテナポート（アンテナポート１５−１８、又はアンテナポート１９−２２）をマッピングする際、同じ周波数リソースにマッピングする場合を示している。このように、シンボル間で同一周波数リソースに同じアンテナポートをマッピングすることにより、例えば時間的に離れた同じ周波数リソースを高精度な周波数オフセット補正に利用できる。
【００７０】
あるいは、無線基地局は、シンボル間（第１のリソース領域と第２のリソース領域間）で異なる周波数リソースに同じアンテナポートをマッピングすることができる（図６Ｂ参照）。図６Ｂでは、第１のリソース領域と第２のリソース領域に所定のアンテナポートをマッピングする際、異なる周波数リソースにマッピングする場合を示している。つまり、図６Ｂでは、第１のリソース領域の第２の周波数リソースと第２のリソース領域の第１の周波数リソースにアンテナポート１５−１８を割当て、第１のリソース領域の第１の周波数リソースと第２のリソース領域の第２の周波数リソースにアンテナポート１９−２２を割当てている。このように、シンボル間で異なる周波数リソースに同じアンテナポートをマッピングすることにより、参照信号が時間周波数的により分散された形で配置されるため高精度なＣＳＩ測定を行うことができる。
【００７１】
シンボル間で異なる周波数リソースに同じアンテナポートをマッピングする場合、図６Ｂでは、アンテナポート１５−１８と、アンテナポート１９−２２の割当てに対して２種類の周波数リソースを利用する場合を示しているが、これに限られない。例えば、第１のリソース領域の第１の周波数リソースと第２のリソース領域の第２の周波数リソースにアンテナポート１５−１８を割当て、第１のリソース領域の第３の周波数リソースと第２のリソース領域の第４の周波数リソースにアンテナポート１９−２２を割当ててもよい（図７参照）。図７に示すように、複数の周波数リソースに分散してアンテナポートを割当てることにより、特に８アンテナポート利用の場合により時間周波数的に分散された参照信号を用いて高精度なＣＳＩ測定を行うことができる。
【００７２】
また、無線基地局は、図６に示すように拡張ＣＳＩ−ＲＳを送信する場合、既存のＣＳＩ−ＲＳと比較して割当てリソース領域（リソースエレメント）が拡張された参照信号構成（拡張参照信号構成）を用いてマッピングを制御することができる。例えば、無線基地局は、第１の領域リソース領域（シンボル＃９、＃１０）と第２のリソース領域（シンボル＃１２、＃１３）の全サブキャリアをＣＳＩ−ＲＳリソース候補として利用する。
【００７３】
仮に、図６に示すようにシンボル＃４−＃１３までの範囲で既存のＣＳＩ−ＲＳを割当てる場合、シンボル＃９、＃１０と、シンボル＃１２、＃１３の一部のサブキャリアがＣＳＩ−ＲＳリソース候補となる。しかし、既存のＣＳＩ−ＲＳは、第１の領域（シンボル＃９、＃１０）と第２の領域（シンボル＃１２、＃１３）の一部のキャリアの一方しか割当てできない参照信号構成となっている。このため、無線基地局が適用する参照信号構成次第では既存ＣＳＩ−ＲＳの割当てが変化する。
【００７４】
例えば、第２の領域（シンボル＃１２、＃１３）にＣＳＩ−ＲＳを割当てる場合、第１の領域（シンボル＃９、＃１０）にはＣＳＩ−ＲＳが割当てられない。この場合、ＤＲＳにおける参照信号の時間的連続性や時間長が保持できなくなる。また、参照信号が送信されない領域が設定されると、ＬＢＴｉｄｌｅと判断した他のシステムから信号が送信され衝突するおそれもある。
【００７５】
これに対し、図７に示す拡張ＣＳＩ−ＲＳでは、既存のＣＳＩ−ＲＳと比較して割当てリソース領域（リソースエレメント）が拡張された参照信号構成を用いることができるため、ＤＲＳにおける参照信号の時間的連続性や時間長を保持することができる。これにより、チャネル状態の測定品質を向上すると共に、他システムから送信される信号と衝突することを抑制することができる。
【００７６】
（第３の態様）
第３の態様では、既存のＣＳＩ−ＲＳと比較して割当てリソース領域が拡張された参照信号構成を利用する場合のユーザ端末動作の一例について説明する。
【００７７】
上記第１の態様や第２の態様に示すように、既存のＣＳＩ−ＲＳと比較して割当てリソース領域が拡張された参照信号構成を適用する場合、ユーザ端末に対して既存ＣＳＩ−ＲＳ用の参照信号構成（例えば、リソース構成、サブフレームオフセット、周期、セルＩＤ、スクランブリングＩＤ）と、拡張したＣＳＩ−ＲＳの参照信号構成をそれぞれ別々に通知することができる。
【００７８】
一方で、ユーザ端末に２つの参照信号構成をそれぞれ通知する場合にはオーバーヘッドが増加するため、オーバーヘッドを抑制する観点からはユーザ端末に対して共通（例えば、１つ）の参照信号構成を通知することが考えられる。この場合、ユーザ端末は、受信した参照信号の種別（例えば、既存のＣＳＩ−ＲＳと、ＤＲＳに含まれるＣＳＩ−ＲＳ）に応じて、異なる参照信号構成を想定して受信動作を制御すればよい。
【００７９】
ここで、あらかじめＣＳＩ−ＲＳ構成（CSI-RS  configuration）情報が通知されたユーザ端末が、ＤＲＳバースト内とそれ以外（例えば、データ（ＰＤＳＣＨ）と多重されてＣＳＩ−ＲＳが送信される場合）でＣＳＩ−ＲＳを受信する場合について図８を参照して説明する。
【００８０】
無線基地局は、ユーザ端末に対してＣＳＩ−ＲＳ構成に関する情報（例えば、リソース構成、サブフレームオフセット、周期、セルＩＤ、スクランブリングＩＤ）を上位レイヤシグナリング等であらかじめ通知する。また、無線基地局は、ＤＲＳの測定タイミング（ＤＭＴＣ：Discovery  Measurement  Timing  Configuration）に関する情報を上位レイヤシグナリング等でユーザ端末にあらかじめ通知する。
【００８１】
ユーザ端末は、通知されたＣＳＩ−ＲＳ構成に関する情報に基づいて既存のＣＳＩ−ＲＳ構成でチャネル状態の測定を行う。一方で、ユーザ端末は、通知されたＤＲＳの測定タイミング（ＤＭＴＣ）内ではＤＲＳバースト送信の検出を試み、ＤＲＳバースト送信を検出した場合には、既存のＣＳＩ−ＲＳと異なる参照信号構成（拡張ＣＳＩ−ＲＳの参照信号構成）があると想定する。この場合、ユーザ端末は、あらかじめ設定されたＣＳＩ−ＲＳ構成に含まれるサブフレームオフセットや周期に関わらず、拡張ＣＳＩ−ＲＳ用のＣＳＩ−ＲＳリソース構成（CSI-RS  resource  configuration）に基づいて受信動作を制御することができる。なお、ＣＳＩ−ＲＳ構成に関する情報に含まれるスクランブリングＩＤやセルＩＤについては拡張ＣＳＩ−ＲＳ対しても利用することができる。
【００８２】
このように、ユーザ端末は、ＤＲＳバースト送信内でのＣＳＩ−ＲＳリソース構成と、それ以外でのＣＳＩ−ＲＳリソース構成では、インデックスが同じであっても実際のＣＳＩ−ＲＳのリソースマッピングは異なる構成であると想定して受信動作を行うことができる。
【００８３】
なお、ユーザ端末に対して既存ＣＳＩ−ＲＳ用の参照信号構成と、拡張したＣＳＩ−ＲＳの参照信号構成に関する情報を共通情報として通知する場合、一部の情報を共通情報とし、他の情報をそれぞれ送信する構成としてもよい。
【００８４】
（第４の態様）
第４の態様では、ユーザ端末に対してリスニングを適用するセルが複数設定される場合のＤＭＴＣやＣＳＩ−ＲＳ構成の設定方法について説明する。
【００８５】
ユーザ端末に対してリスニングを適用するセル（例えば、アンライセンスバンド）が複数設定される場合、当該ユーザ端末に対して複数のＣＣ間共通のＤＭＴＣ及び／又はＣＳＩ−ＲＳ構成を設定することができる。既存システムでは、ＤＭＴＣやＣＳＩ−ＲＳ構成はＣＣ毎に独立に設定されるが、複数のＣＣ間で共通に（例えば、一つの構成を）設定することにより、オーバーヘッドを削減することができる。
【００８６】
例えば、ユーザ端末で設定する第１の構成セット（configuration  set）、ＣＣ単位で設定する第２の構成セットの他に、リスニングを必要とするＣＣ全体に適用できる第３の構成セットを定義し、当該第３の構成セットの中にＤＭＴＣやＣＳＩ−ＲＳ構成を含めて定義してもよい。
【００８７】
あるいは、全てのアンライセンスバンドで共通に設定するのでなく、一部のバンド（ＣＣ）毎に共通、又はＣＣ毎に独立に設定する構成としてもよい。
【００８８】
リスニングを適用する複数のＣＣに対して共通に参照信号構成セットを設定する場合、ユーザ端末は、当該参照信号構成セットの適用可否（サポート有無）に関する情報を能力情報（UE  Capability）としてネットワーク（例えば、無線基地局）に報告する構成としてもよい。無線基地局は、ユーザ端末から通知された能力情報に基づいて、各ユーザ端末に設定する参照信号構成を制御することができる。
【００８９】
（第５の態様）
第５の態様では、ＤＲＳの測定期間（例えば、ＤＭＴＣ）内にＤＲＳとＤＬデータ（例えば、ＰＤＳＣＨ）が多重される場合に、ＤＲＳに適用するＣＳＩ−ＲＳ構成（CSI-RS  resource  configuration）について説明する。
【００９０】
図１４に、ＤＬデータ（例えば、ＰＤＳＣＨ）のバースト送信と、ＤＲＳバースト送信をそれぞれ別々に行う場合の一例を示す。まず、ＤＲＳがＤＭＴＣ内でＰＤＳＣＨと多重されずに送信される場合を想定する。この場合、ユーザ端末は無線基地局から通知されたＣＳＩ−ＲＳ構成の情報に対して、ＤＲＳバースト内とそれ以外（例えば、ＤＬデータのバースト送信）で異なるＣＳＩ−ＲＳパターン（リソースマッピング）を想定することができる（上記図８参照）。
【００９１】
一方で、ＤＭＴＣ内でＤＲＳとＰＤＳＣＨが多重されて送信される場合も考えられる。かかる場合に、ＤＲＳ内のＣＳＩ−ＲＳ構成をどのように制御するかが問題となる。そこで、本発明者等は、ＤＲＳとＰＤＳＣＨが多重する場合、以下の３通りのいずれかのＣＳＩ−ＲＳ構成（ＣＳＩ−ＲＳ構成１〜３）をＤＲＳに適用することを見出した。
【００９２】
（ＣＳＩ−ＲＳ構成１）
ＣＳＩ−ＲＳ構成１では、ＤＭＴＣにおいてＤＬデータと多重するＤＲＳに対して、ＤＲＳ用の新しいＣＳＩ−ＲＳ構成（CSI-RS  resource  configuration）を利用する。例えば、ＤＲＳバースト送信をＤＬデータと多重せずに行う場合にＤＲＳに適用するＣＳＩ−ＲＳ構成（例えば、図８左のＤＲＳ内のＣＳＩ−ＲＳ構成）を、ＤＭＴＣ内でＤＬデータ送信と多重するＤＲＳにも適用する。この場合、ＤＬデータ送信時のＣＳＩ−ＲＳ構成と異なるため、ＰＤＳＣＨする際に新しいレートマッチング（Rate  matching）パターンを定義する必要がある。
【００９３】
ユーザ端末は、ＤＭＴＣ期間内か否かでＣＳＩ−ＲＳ構成のパターンを識別する構成とすることができる。また、ユーザ端末は、ＤＲＳにおけるＣＳＩ−ＲＳ位置の検出方法として、当該ＣＳＩ−ＲＳが配置される位置がＤＲＳ（例えば、ＰＳＳ／ＳＳＳ）と同一サブフレームであると想定して受信処理を行うことができる。
【００９４】
（ＣＳＩ−ＲＳ構成２）
ＣＳＩ−ＲＳ構成２では、ＤＭＴＣにおいてＤＬデータと多重するＤＲＳに対して、既存のＣＳＩ−ＲＳ構成を利用する。例えば、ＤＬデータ送信に適用するＣＳＩ−ＲＳ構成（例えば、図８右のＤＬデータ送信内のＣＳＩ−ＲＳ構成）を、ＤＭＴＣ内でＤＬデータ送信と多重するＤＲＳにも適用する。この場合、ＤＬデータ送信時のＣＳＩ−ＲＳ構成と同じであるため、既存のレートマッチング（Rate  matching）パターンを利用することが可能となる。また、ＤＲＳに含まれる同期信号（ＰＳＳ／ＳＳＳ）と衝突するＣＳＩ−ＲＳ構成は利用しないように制御する。
【００９５】
ユーザ端末は、ＤＭＴＣ期間内においてＤＲＳがＰＤＳＣＨと多重されているか否かを検出することにより、ＣＳＩ−ＲＳ構成のパターンを認識することができる。例えば、ユーザ端末は、ＤＭＴＣ内のＤＲＳを検出した際に、ＰＤＳＣＨが同一サブフレームに多重されているか否かを所定の制御情報（例えば、ＰＤＣＣＨ、ＰＣＦＩＣＨ等）の検出に基づいて判断することができる。
【００９６】
（ＣＳＩ−ＲＳ構成３）
ＣＳＩ−ＲＳ構成３では、ＤＭＴＣにおいてＤＬデータと多重するＤＲＳとして、同期信号（ＰＳＳ／ＳＳＳ）及びＣＲＳを含む送信時間間隔（ＴＴＩ：Transmission  Time  Interval）と異なるＴＴＩでＣＳＩ−ＲＳを送信する構成とする（図１５参照）。なお、同期信号（ＰＳＳ／ＳＳＳ）及びＣＲＳを含むＤＲＳ  ＴＴＩは、例えば、サブフレームとすることができる。
【００９７】
図１５は、ＣＳＩ−ＲＳ構成３におけるＤＲＳ内のＣＳＩ−ＲＳ構成の一例を示している。ＤＭＴＣ内においてＤＲＳとＰＤＳＣＨが多重されない場合には、ＤＲＳ用の新しいＣＳＩ−ＲＳ構成を利用することができる（図１５Ａ参照）。一方で、ＤＭＴＣ内においてＤＲＳとＰＤＳＣＨが多重される場合、同期信号とＣＲＳを含むＴＴＩ（サブフレーム）とＣＳＩ−ＲＳを含むＴＴＩでＤＲＳを構成することができる（図１５Ｂ参照）。
【００９８】
図１５Ｂでは、ＤＲＳを２サブフレームにわたって配置する場合を示しており、前半サブフレームでＣＳＩ−ＲＳを配置し、後半サブフレームで同期信号とＣＲＳを割当てる場合を示している。前半サブフレームにおけるＣＳＩ−ＲＳ構成は既存のＣＳＩ−ＲＳ構成を適用することができる。なお、ＣＳＩ−ＲＳ構成３におけるＤＲＳの構成は、図１５Ｂに限られない。ＣＳＩ−ＲＳの割当てサブフレームを後半サブフレームとしてもよいし、非連続のサブフレームにＣＳＩ−ＲＳと同期信号をそれぞれ割当ててもよい。
【００９９】
また、ＣＳＩ−ＲＳ構成３を適用する場合、ＤＲＳ構成がＰＤＳＣＨとの多重の有無によって変わることとなる。例えば、ＤＭＴＣにおいてＰＤＳＣＨと多重せずＤＲＳを送信する場合（図１５Ａ参照）にはＤＲＳ構成が１ｍｓ未満となるが、ＰＤＳＣＨと多重してＤＲＳを送信する場合（図１５Ｂ参照）にはＤＲＳ構成が複数サブフレーム（例えば、２ｍｓ）となる。そのため、ユーザ端末は、ＤＲＳとＰＤＳＣＨとの多重有無を検出すると共に、ＤＲＳとＰＤＳＣＨが多重する場合のＣＳＩ−ＲＳ位置を把握することが必要となる。
【０１００】
例えば、ユーザ端末は、ＤＭＴＣ内のＤＲＳを検出した際に、ＰＤＳＣＨが同一サブフレームに多重されているか否かを所定の制御情報（例えば、ＰＤＣＣＨ、ＰＣＦＩＣＨ等）の検出に基づいて判断することができる。また、ユーザ端末は、既存システム（Ｒｅｌ．１２）で規定されているＤＲＳ構成で通知されるサブフレームオフセットに関する情報（subframeOffset-r12）に基づいてＣＳＩ−ＲＳの位置を判断することができる。
【０１０１】
このように、ＣＳＩ−ＲＳ構成３を適用することにより、同期信号（ＰＳＳ／ＳＳＳ）とＣＳＩ−ＲＳが衝突することを避けることができる。また、ＣＳＩ−ＲＳ構成３を適用する場合、ＤＲＳ用の新しいＣＳＩ−ＲＳ構成に対してＰＤＳＣＨの多重は行わないため、新規のレートマッチングパターンを定義することが不要とすることができる。
【０１０２】
また、既存システム（Ｒｅｌ．１２）のＤＲＳ構成では、ＤＭＴＣ（６ｍｓ）においてＤＲＳバースト送信の長さに関する情報（ds-OccationDuration）がユーザ端末に通知される。既存システムのＤＲＳ構成に関する情報を読み替えて利用する場合、ユーザ端末は、ds-OccationDurationとして通知された情報を、ＰＤＳＣＨと多重されたＤＲＳ構成（図１５Ｂ参照）にのみ適用することができる。ＰＤＳＣＨと多重せずにＤＲＳが送信される場合（図１５Ａ参照）、ユーザ端末は、ds-OccationDurationとして通知された情報に関わらず、ＤＲＳ構成が１ｍｓ以下であると判断することができる。
【０１０３】
＜ＣＳＩ−ＲＳ構成情報の解釈＞
また、ユーザ端末は、無線基地局から通知されるＣＳＩ−ＲＳ構成に関する情報（CSI-RS  configuration  information（例えば、CSI-RS-ConfigNZP））を、送信形態（ＤＲＳバースト送信、又はデータバースト送信）に基づいて読み替えて解釈する。
【０１０４】
例えば、ユーザ端末は、ＣＳＩ−ＲＳのアンテナポートに関する情報（antennaPortsCount-r11）、スクランブリングに関する情報（scramblingIdentity-r11）、送信ポイントに関する情報（qcl-CRS-Info-r11）については、ＤＲＳバースト送信内とデータバースト送信内で共通であると解釈する。
【０１０５】
一方で、ユーザ端末は、リソース構成に関する情報（resourceConfig-r11）は、同じインデックスであっても送信形態に基づいて異なるリソース構成であると解釈する。例えば、同一インデックスに対して、データバースト送信（ＤＬデータと多重するＤＲＳバースト（ＣＳＩ−ＲＳ構成２、３）と、ＤＬデータと多重しないＤＲＳバースト送信に対してそれぞれ異なるリソース構成を適用する。
【０１０６】
また、ユーザ端末は、サブフレームに関する情報（subframeConfig-r11）は、データバースト送信内のＣＳＩ−ＲＳだけに適用することができる。つまり、ＤＬデータと多重しないＤＲＳバースト送信に対してはサブフレームに関する情報は適用しない。
【０１０７】
このように、送信形態（ＤＲＳバースト送信、又はデータバースト送信）に基づいてＣＳＩ−ＲＳ構成に関する情報を読み替えて解釈することにより、ユーザ端末に送信する情報を削減することができる。
【０１０８】
（第６の態様）
第６の態様では、ＤＲＳ内で報知情報を送信する（例えば、同一サブフレームでＤＲＳと報知情報を多重する）場合について説明する。
【０１０９】
ＤＲＳ内に報知情報（ＰＢＣＨ）をマッピングする場合、システム帯域の中心６ＲＢにおいて、シンボル＃７、＃８（例えば、後半スロットの先頭２シンボル）に多重する構成とすることができる（図１６参照）。図１６Ａは、ＤＬデータと多重せずにＤＲＳを送信する場合におけるＤＲＳと報知情報の多重方法の一例を示している。図１６Ｂは、ＤＬデータと多重してＤＲＳを送信する場合におけるＤＲＳと報知情報とＰＤＳＣＨの多重方法の一例を示している。なお、ＰＢＣＨを多重可能なシンボル数はこれに限られない。
【０１１０】
このように報知情報をシステム帯域の中心６ＲＢにおいて既存システムと同様に所定のシンボルに多重することにより、ユーザ端末は、既存のＰＢＣＨに対するレートマッチングを再利用することができる。
【０１１１】
（無線通信システムの構成）
以下、本発明の一実施形態に係る無線通信システムの構成について説明する。この無線通信システムでは、本発明の実施形態に係る無線通信方法が適用される。なお、上記の各実施の態様に係る無線通信方法は、それぞれ単独で適用されてもよいし、組み合わせて適用してもよい。
【０１１２】
図９は、本発明の一実施形態に係る無線通信システムの概略構成の一例を示す図である。なお、図９に示す無線通信システムは、例えば、ＬＴＥシステム、ＳＵＰＥＲ  ３Ｇ、ＬＴＥ−Ａシステムなどが包含されるシステムである。この無線通信システムでは、複数のコンポーネントキャリア（ＣＣ）を一体としたキャリアアグリゲーション（ＣＡ）及び／又はデュアルコネクティビティ（ＤＣ）を適用することができる。また、複数のＣＣには、ライセンスバンドを利用するライセンスバンドＣＣと、アンライセンスバンドを利用するアンライセンスバンドＣＣが含まれる。なお、この無線通信システムは、ＩＭＴ−Ａｄｖａｎｃｅｄと呼ばれても良いし、４Ｇ、５Ｇ、ＦＲＡ（Future  Radio  Access）などと呼ばれても良い。
【０１１３】
図９に示す無線通信システム１は、マクロセルＣ１を形成する無線基地局１１と、マクロセルＣ１内に配置され、マクロセルＣ１よりも狭いスモールセルＣ２を形成する無線基地局１２（１２ａ−１２ｃ）と、を備えている。また、マクロセルＣ１及び各スモールセルＣ２には、ユーザ端末２０が配置されている。
【０１１４】
ユーザ端末２０は、無線基地局１１及び無線基地局１２の双方に接続することができる。ユーザ端末２０は、異なる周波数を用いるマクロセルＣ１とスモールセルＣ２を、ＣＡ又はＤＣにより同時に使用することが想定される。また、ユーザ端末２０は、少なくとも２ＣＣ（セル）を用いてＣＡを適用することができ、６個以上のＣＣを利用することも可能である。
【０１１５】
ユーザ端末２０と無線基地局１１との間は、相対的に低い周波数帯域（例えば、２ＧＨｚ）で帯域幅が狭いキャリア（既存キャリア、Legacy  carrierなどと呼ばれる）を用いて通信を行うことができる。一方、ユーザ端末２０と無線基地局１２との間は、相対的に高い周波数帯域（例えば、３．５ＧＨｚ、５ＧＨｚなど）で帯域幅が広いキャリアが用いられてもよいし、無線基地局１１との間と同じキャリアが用いられてもよい。無線基地局１１と無線基地局１２との間（又は、２つの無線基地局１２間）は、有線接続（光ファイバ、Ｘ２インターフェースなど）又は無線接続する構成とすることができる。
【０１１６】
無線基地局１１及び各無線基地局１２は、それぞれ上位局装置３０に接続され、上位局装置３０を介してコアネットワーク４０に接続される。なお、上位局装置３０には、例えば、アクセスゲートウェイ装置、無線ネットワークコントローラ（ＲＮＣ）、モビリティマネジメントエンティティ（ＭＭＥ）などが含まれるが、これに限定されるものではない。また、各無線基地局１２は、無線基地局１１を介して上位局装置３０に接続されてもよい。
【０１１７】
なお、無線基地局１１は、相対的に広いカバレッジを有する無線基地局であり、マクロ基地局、集約ノード、ｅＮＢ（eNodeB）、送受信ポイントなどと呼ばれてもよい。また、無線基地局１２は、局所的なカバレッジを有する無線基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、無線基地局１１及び１２を区別しない場合は、無線基地局１０と総称する。各ユーザ端末２０は、ＬＴＥ、ＬＴＥ−Ａなどの各種通信方式に対応した端末であり、移動通信端末だけでなく固定通信端末を含んでよい。
【０１１８】
無線通信システムにおいては、無線アクセス方式として、下りリンクについてはＯＦＤＭＡ（直交周波数分割多元接続）が適用され、上りリンクについてはＳＣ−ＦＤＭＡ（シングルキャリア−周波数分割多元接続）が適用される。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末毎に１つ又は連続したリソースブロックからなる帯域に分割し、複数の端末が互いに異なる帯域を用いることで、端末間の干渉を低減するシングルキャリア伝送方式である。なお、上り及び下りの無線アクセス方式は、これらの組み合わせに限られない。
【０１１９】
無線通信システム１では、下りリンクのチャネルとして、各ユーザ端末２０で共有される下り共有チャネル（ＰＤＳＣＨ：Physical  Downlink  Shared  Channel）、報知チャネル（ＰＢＣＨ：Physical  Broadcast  Channel）、下りＬ１／Ｌ２制御チャネルなどが用いられる。ＰＤＳＣＨにより、ユーザデータや上位レイヤ制御情報、所定のＳＩＢ（System  Information  Block）が伝送される。また、ＰＢＣＨにより、ＭＩＢ（Master  Information  Block）などが伝送される。
【０１２０】
下りＬ１／Ｌ２制御チャネルは、ＰＤＣＣＨ（Physical  Downlink  Control  Channel）、ＥＰＤＣＣＨ（Enhanced  Physical  Downlink  Control  Channel）、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨ及びＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＰＨＩＣＨにより、ＰＵＳＣＨに対するＨＡＲＱの送達確認信号（ＡＣＫ／ＮＡＣＫ）が伝送される。ＥＰＤＣＣＨは、ＰＤＳＣＨ（下り共有データチャネル）と周波数分割多重され、ＰＤＣＣＨと同様にＤＣＩなどを伝送するために用いられてもよい。
【０１２１】
また、下りリンクの参照信号として、セル固有参照信号（ＣＲＳ：Cell-specific  Reference  Signal）、チャネル状態測定用参照信号（ＣＳＩ−ＲＳ：Channel  State  Information-Reference  Signal）、復調用に利用されるユーザ固有参照信号（ＤＭ−ＲＳ：Demodulation  Reference  Signal）などを含む。
【０１２２】
無線通信システム１では、上りリンクのチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータや上位レイヤ制御情報が伝送される。また、ＰＵＣＣＨにより、下りリンクの無線品質情報（ＣＱＩ：Channel  Quality  Indicator）、送達確認信号（HARQ-ACK）などが伝送される。ＰＲＡＣＨにより、セルとの接続確立のためのランダムアクセスプリアンブル（ＲＡプリアンブル）が伝送される。
【０１２３】
＜無線基地局＞
図１０は、本発明の一実施形態に係る無線基地局の全体構成の一例を示す図である。無線基地局１０は、複数の送受信アンテナ１０１と、アンプ部１０２と、送受信部１０３と、ベースバンド信号処理部１０４と、呼処理部１０５と、伝送路インターフェース１０６と、を備えている。なお、送受信部１０３は、送信部及び受信部で構成される。
【０１２４】
下りリンクにより無線基地局１０からユーザ端末２０に送信されるユーザデータは、上位局装置３０から伝送路インターフェース１０６を介してベースバンド信号処理部１０４に入力される。
【０１２５】
ベースバンド信号処理部１０４では、ユーザデータに関して、ＰＤＣＰ（Packet  Data  Convergence  Protocol）レイヤの処理、ユーザデータの分割・結合、ＲＬＣ（Radio  Link  Control）再送制御等のＲＬＣレイヤの送信処理、ＭＡＣ（Medium  Access  Control）再送制御（例えば、ＨＡＲＱ（Hybrid  Automatic  Repeat  reQuest）の送信処理）、スケジューリング、伝送フォーマット選択、チャネル符号化、逆高速フーリエ変換（ＩＦＦＴ：Inverse  Fast  Fourier  Transform）処理、プリコーディング処理等の送信処理が行われて各送受信部１０３に転送される。また、下り制御信号に関しても、チャネル符号化や逆高速フーリエ変換などの送信処理が行われて、各送受信部１０３に転送される。
【０１２６】
各送受信部１０３は、ベースバンド信号処理部１０４からアンテナ毎にプリコーディングして出力されたベースバンド信号を無線周波数帯に変換して送信する。送受信部１０３で周波数変換された無線周波数信号は、アンプ部１０２により増幅され、送受信アンテナ１０１から送信される。
【０１２７】
一方、上り信号については、各送受信アンテナ１０１で受信された無線周波数信号がそれぞれアンプ部１０２で増幅される。各送受信部１０３はアンプ部１０２で増幅された上り信号を受信する。送受信部１０３は、受信信号をベースバンド信号に周波数変換して、ベースバンド信号処理部１０４に出力する。
【０１２８】
例えば、送受信部（送信部）１０３は、チャネル状態を測定する第１の参照信号（例えば、拡張ＣＳＩ−ＲＳ）を含むディスカバリ信号をリスニング結果に基づいて送信することができる。また、送受信部（送信部）１０３は、第１の参照信号を所定のアンテナポート（例えば、アンテナポート１５−２２）を用いて送信することができる。また、送受信部（送信部）１０３は、複数のセルで共通に設定されるディスカバリ信号構成及び／又はチャネル状態測定用の参照信号構成に関する情報をユーザ端末に送信することができる。なお、送受信部１０３は、本発明に係る技術分野での共通認識に基づいて説明されるトランスミッター／レシーバー、送受信回路又は送受信装置とすることができる。
【０１２９】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤ、ＰＤＣＰレイヤの受信処理がなされ、伝送路インターフェース１０６を介して上位局装置３０に転送される。呼処理部１０５は、通信チャネルの設定や解放等の呼処理や、無線基地局１０の状態管理や、無線リソースの管理を行う。
【０１３０】
伝送路インターフェース１０６は、所定のインターフェースを介して、上位局装置３０と信号を送受信する。また、伝送路インターフェース１０６は、基地局間インターフェース（例えば、光ファイバ、Ｘ２インターフェース）を介して隣接無線基地局１０と信号を送受信（バックホールシグナリング）してもよい。
【０１３１】
図１１は、本実施形態に係る無線基地局の機能構成の一例を示す図である。なお、図１１では、本実施形態における特徴部分の機能ブロックを主に示しており、無線基地局１０は、無線通信に必要な他の機能ブロックも有しているものとする。図１１に示すように、ベースバンド信号処理部１０４は、制御部（スケジューラ）３０１と、送信信号生成部（生成部）３０２と、マッピング部３０３と、受信信号処理部３０４と、測定部３０５と、を備えている。
【０１３２】
制御部（スケジューラ）３０１は、ＰＤＳＣＨで送信される下りデータ、ＰＤＣＣＨ及び／又はＥＰＤＣＣＨで伝送される下り制御情報のスケジューリング（例えば、リソース割当て／マッピング等）を制御する。また、システム情報、同期信号、ページング情報、ＣＲＳ、ＣＳＩ−ＲＳ、ディスカバリ信号等のスケジューリング（例えば、リソース割当て／マッピング等）の制御も行う。
【０１３３】
制御部３０１は、各ユーザ端末から送信されるＰＵＳＣＨで送信される上りデータ信号、ＰＵＣＣＨ及び／又はＰＵＳＣＨで送信される上り制御信号、ＰＲＡＣＨで送信されるランダムアクセスプリアンブル、上り参照信号等のスケジューリングを制御する。また、制御部３０１は、ディスカバリ信号に含まれるチャネル状態を測定する第１の参照信号を既存のチャネル状態測定用の第２の参照信号より時間方向に拡張して割当てるように制御することができる。
【０１３４】
また、制御部３０１は、第２の参照信号に適用される参照信号構成と比較して、割当てリソース領域が拡張されて設定された参照信号構成を用いて第１の参照信号の割当てを制御することができる。ディスカバリ信号に同期信号とセル固有参照信号がさらに含まれている場合、制御部３０１は、同期信号及び／又はセル固有参照信号の割当てリソースを挟んで配置される第１のリソース領域及び第２のリソース領域に第１の参照信号を割当てることができる（図３、図６等参照）。
【０１３５】
また、制御部３０１は、所定のアンテナポートに対応する第１の参照信号を、第１のリソース領域と第２のリソース領域の同じ周波数リソース又は異なる周波数リソースに割当てることができる（図３、図４、図６、図７参照）。
【０１３６】
また、制御部３０１は、複数のアンテナポート（例えば、８個のアンテナポート）に対して拡張ＣＳＩ−ＲＳをマッピングするシンボル数（例えば、４種類）の直交系列を適用すると共に、同じ直交系列を適用するアンテナポートを異なる周波数リソースに割当てるように制御することができる。また、制御部３０１は、リスニング（ＤＬ−ＬＢＴ）結果に基づいてＤＬ信号（ＤＬデータ、ディスカバリ信号等）の送信を制御する。
【０１３７】
なお、制御部３０１は、本発明に係る技術分野での共通認識に基づいて説明されるコントローラ、制御回路又は制御装置とすることができる。
【０１３８】
送信信号生成部３０２は、制御部３０１からの指示に基づいて、ＤＬ信号を生成して、マッピング部３０３に出力する。例えば、送信信号生成部３０２は、制御部３０１からの指示に基づいて、下り信号の割当て情報を通知するＤＬアサインメント及び上り信号の割当て情報を通知するＵＬグラントを生成する。なお、送信信号生成部３０２は、本発明に係る技術分野での共通認識に基づいて説明される信号生成器、信号生成回路又は信号生成装置とすることができる。
【０１３９】
マッピング部３０３は、制御部３０１からの指示に基づいて、送信信号生成部３０２で生成された下り信号（例えば、同期信号、セル固有参照信号、チャネル状態を測定する参照信号を含むディスカバリ信号等）を、所定の無線リソースにマッピングして、送受信部１０３に出力する。なお、マッピング部３０３は、本発明に係る技術分野での共通認識に基づいて説明されるマッパー、マッピング回路又はマッピング装置とすることができる。
【０１４０】
受信信号処理部３０４は、ユーザ端末から送信されるＵＬ信号（例えば、送達確認信号（ＨＡＲＱ−ＡＣＫ）、ＰＵＳＣＨで送信されたデータ信号等）に対して、受信処理（例えば、デマッピング、復調、復号など）を行う。処理結果は、制御部３０１に出力される。受信信号処理部３０４は、本発明に係る技術分野での共通認識に基づいて説明される信号処理器、信号処理回路又は信号処理装置から構成することができる。
【０１４１】
測定部３０５は、受信した信号を用いて受信電力（例えば、ＲＳＲＰ（Reference  Signal  Received  Power））、受信品質（ＲＳＲＱ（Reference  Signal  Received  Quality））やチャネル状態などについて測定することができる。また、測定部３０５は、アンライセンスバンドにおけるＤＬ信号の送信前に行うリスニングにおいて、他システム等から送信される信号の受信電力を測定することができる。測定部３０５で測定した結果は、制御部３０１に出力される。制御部３０１は測定部３０５の測定結果（リスニング結果）に基づいて、ＤＬ信号の送信を制御することができる。
【０１４２】
測定部３０５は、本発明に係る技術分野での共通認識に基づいて説明される測定器、測定回路又は測定装置から構成することができる。
【０１４３】
＜ユーザ端末＞
図１２は、本実施形態に係るユーザ端末の全体構成の一例を示す図である。ユーザ端末２０は、ＭＩＭＯ伝送のための複数の送受信アンテナ２０１と、アンプ部２０２と、送受信部２０３と、ベースバンド信号処理部２０４と、アプリケーション部２０５と、を備えている。なお、送受信部２０３は、送信部及び受信部から構成されてもよい。
【０１４４】
複数の送受信アンテナ２０１で受信された無線周波数信号は、それぞれアンプ部２０２で増幅される。各送受信部２０３はアンプ部２０２で増幅された下り信号を受信する。送受信部２０３は、受信信号をベースバンド信号に周波数変換して、ベースバンド信号処理部２０４に出力する。
【０１４５】
送受信部（受信部）２０３は、アンライセンスバンドにおけるＵＬ送信を指示するＤＬ信号（例えば、ＵＬグラント）を受信することができる。また、送受信部（受信部）２０３は、チャネル状態を測定する第１の参照信号を含むディスカバリ信号を受信することができる。この場合、送受信部（受信部）２０３は、既存のチャネル状態測定用の第２の参照信号に適用される参照信号構成と比較して割当てリソース領域が拡張された参照信号構成に基づいて第１の参照信号を受信することができる。また、送受信部（受信部）２０３は、無線基地局から受信した所定の参照信号構成に関する情報（例えば、所定のインデックス）に基づいて、ディスカバリ信号に含まれる第１の参照信号と、既存のチャネル状態測定用の第２の参照信号に対して異なる参照信号構成を想定して受信動作を行うことができる。なお、送受信部２０３は、本発明に係る技術分野での共通認識に基づいて説明されるトランスミッター／レシーバー、送受信回路又は送受信装置とすることができる。
【０１４６】
ベースバンド信号処理部２０４は、入力されたベースバンド信号に対して、ＦＦＴ処理や、誤り訂正復号、再送制御の受信処理などを行う。下りリンクのユーザデータは、アプリケーション部２０５に転送される。アプリケーション部２０５は、物理レイヤやＭＡＣレイヤより上位のレイヤに関する処理などを行う。また、下りリンクのデータのうち、報知情報もアプリケーション部２０５に転送される。
【０１４７】
一方、上りリンクのユーザデータについては、アプリケーション部２０５からベースバンド信号処理部２０４に入力される。ベースバンド信号処理部２０４では、再送制御の送信処理（例えば、ＨＡＲＱの送信処理）や、チャネル符号化、プリコーディング、離散フーリエ変換（ＤＦＴ：Discrete  Fourier  Transform）処理、ＩＦＦＴ処理などが行われて各送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１４８】
図１３は、本実施形態に係るユーザ端末の機能構成の一例を示す図である。なお、図１３においては、本実施形態における特徴部分の機能ブロックを主に示しており、ユーザ端末２０は、無線通信に必要な他の機能ブロックも有しているものとする。図１３に示すように、ユーザ端末２０が有するベースバンド信号処理部２０４は、制御部４０１と、送信信号生成部４０２と、マッピング部４０３と、受信信号処理部４０４と、測定部４０５と、を備えている。
【０１４９】
制御部４０１は、送信信号生成部４０２、マッピング部４０３及び受信信号処理部４０４の制御を行うことができる。例えば、制御部４０１は、無線基地局１０から送信された下り制御信号（ＰＤＣＣＨ／ＥＰＤＣＣＨで送信された信号）及び下りデータ信号（ＰＤＳＣＨで送信された信号）を、受信信号処理部４０４から取得する。制御部４０１は、下り制御情報（ＵＬグラント）や、下りデータに対する再送制御の要否を判定した結果等に基づいて、上り制御信号（例えば、ＨＡＲＱ−ＡＣＫ等）や上りデータの生成／送信（ＵＬ送信）を制御する。また、制御部４０１は、リスニング（ＵＬ−ＬＢＴ）結果に基づいてＵＬ信号の送信を制御する。
【０１５０】
なお、制御部４０１は、本発明に係る技術分野での共通認識に基づいて説明されるコントローラ、制御回路又は制御装置とすることができる。
【０１５１】
送信信号生成部４０２は、制御部４０１からの指示に基づいて、ＵＬ信号を生成して、マッピング部４０３に出力する。例えば、送信信号生成部４０２は、制御部４０１からの指示に基づいて、ＤＬ信号に対応する送達確認信号（ＨＡＲＱ−ＡＣＫ）やチャネル状態情報（ＣＳＩ）等の上り制御信号を生成する。
【０１５２】
また、送信信号生成部４０２は、制御部４０１からの指示に基づいて上りデータ信号を生成する。例えば、送信信号生成部４０２は、無線基地局１０から通知される下り制御信号にＵＬグラントが含まれている場合に、制御部４０１から上りデータ信号の生成を指示される。送信信号生成部４０２は、本発明に係る技術分野での共通認識に基づいて説明される信号生成器、信号生成回路又は信号生成装置とすることができる。
【０１５３】
マッピング部４０３は、制御部４０１からの指示に基づいて、送信信号生成部４０２で生成された上り信号（上り制御信号及び／又は上りデータ）を無線リソースにマッピングして、送受信部２０３へ出力する。マッピング部４０３は、本発明に係る技術分野での共通認識に基づいて説明されるマッパー、マッピング回路又はマッピング装置とすることができる。
【０１５４】
受信信号処理部４０４は、ＤＬ信号（例えば、無線基地局からＰＤＣＣＨ／ＥＰＤＣＣＨで送信される下り制御信号、ＰＤＳＣＨで送信される下りデータ信号等）に対して、受信処理（例えば、デマッピング、復調、復号等）を行う。受信信号処理部４０４は、無線基地局１０から受信した情報を、制御部４０１、測定部４０５に出力する。なお、受信信号処理部４０４は、本発明に係る技術分野での共通認識に基づいて説明される信号処理器、信号処理回路又は信号処理装置から構成することができる。また、受信信号処理部４０４は、本発明に係る受信部を構成することができる。
【０１５５】
また、測定部４０５は、受信した信号を用いて受信電力（例えば、ＲＳＲＰ（Reference  Signal  Received  Power））、受信品質（ＲＳＲＱ（Reference  Signal  Received  Quality））やチャネル状態などについて測定してもよい。また、測定部４０５は、アンライセンスバンドにおけるＵＬ信号の送信前に行うリスニングにおいて、他システム等から送信される信号の受信電力を測定することができる。測定部４０５で測定した結果は、制御部４０１に出力される。制御部４０１は測定部４０５の測定結果（リスニング結果）に基づいて、ＵＬ信号の送信を制御することができる。
【０１５６】
測定部４０５は、本発明に係る技術分野での共通認識に基づいて説明される測定器、測定回路又は測定装置から構成することができる。
【０１５７】
なお、上記実施形態の説明に用いたブロック図は、機能単位のブロックを示している。これらの機能ブロック（構成部）は、ハードウェア及びソフトウェアの任意の組み合わせによって実現される。また、各機能ブロックの実現手段は特に限定されない。すなわち、各機能ブロックは、物理的に結合した１つの装置により実現されてもよいし、物理的に分離した２つ以上の装置を有線又は無線で接続し、これら複数の装置により実現されてもよい。
【０１５８】
例えば、無線基地局１０やユーザ端末２０の各機能の一部又は全ては、ＡＳＩＣ（Application  Specific  Integrated  Circuit）、ＰＬＤ（Programmable  Logic  Device）、ＦＰＧＡ（Field  Programmable  Gate  Array）などのハードウェアを用いて実現されても良い。また、無線基地局１０やユーザ端末２０は、プロセッサ（ＣＰＵ：Central  Processing  Unit）と、ネットワーク接続用の通信インターフェースと、メモリと、プログラムを保持したコンピュータ読み取り可能な記憶媒体と、を含むコンピュータ装置によって実現されてもよい。つまり、本発明の一実施形態に係る無線基地局、ユーザ端末などは、本発明に係る無線通信方法の処理を行うコンピュータとして機能してもよい。
【０１５９】
ここで、プロセッサやメモリなどは情報を通信するためのバスで接続される。また、コンピュータ読み取り可能な記録媒体は、例えば、フレキシブルディスク、光磁気ディスク、ＲＯＭ（Read  Only  Memory）、ＥＰＲＯＭ（Erasable  Programmable  ＲＯＭ）、ＣＤ−ＲＯＭ（Compact  Disc−ＲＯＭ）、ＲＡＭ（Random  Access  Memory）、ハードディスクなどの記憶媒体である。また、プログラムは、電気通信回線を介してネットワークから送信されても良い。また、無線基地局１０やユーザ端末２０は、入力キーなどの入力装置や、ディスプレイなどの出力装置を含んでいてもよい。
【０１６０】
無線基地局１０及びユーザ端末２０の機能構成は、上述のハードウェアによって実現されてもよいし、プロセッサによって実行されるソフトウェアモジュールによって実現されてもよいし、両者の組み合わせによって実現されてもよい。プロセッサは、オペレーティングシステムを動作させてユーザ端末の全体を制御する。また、プロセッサは、記憶媒体からプログラム、ソフトウェアモジュールやデータをメモリに読み出し、これらに従って各種の処理を実行する。
【０１６１】
ここで、当該プログラムは、上記の各実施形態で説明した各動作を、コンピュータに実行させるプログラムであれば良い。例えば、ユーザ端末２０の制御部４０１は、メモリに格納され、プロセッサで動作する制御プログラムによって実現されてもよく、他の機能ブロックについても同様に実現されてもよい。
【０１６２】
また、ソフトウェア、命令などは、伝送媒体を介して送受信されてもよい。例えば、ソフトウェアが、同軸ケーブル、光ファイバケーブル、ツイストペア及びデジタル加入者回線（ＤＳＬ）などの有線技術及び／又は赤外線、無線及びマイクロ波などの無線技術を使用してウェブサイト、サーバ、又は他のリモートソースから送信される場合、これらの有線技術及び／又は無線技術は、伝送媒体の定義内に含まれる。
【０１６３】
なお、本明細書で説明した用語及び／又は本明細書の理解に必要な用語については、同一の又は類似する意味を有する用語と置き換えてもよい。例えば、チャネル及び／又はシンボルは信号（シグナリング）であってもよい。また、信号はメッセージであってもよい。また、コンポーネントキャリア（ＣＣ）は、キャリア周波数、セルなどと呼ばれてもよい。
【０１６４】
また、本明細書で説明した情報、パラメータなどは、絶対値で表されてもよいし、所定の値からの相対値で表されてもよいし、対応する別の情報で表されてもよい。例えば、無線リソースはインデックスで指示されるものであってもよい。
【０１６５】
本明細書で説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０１６６】
本明細書で説明した各態様／実施形態は単独で用いてもよいし、組み合わせて用いてもよいし、実行に伴って切り替えて用いてもよい。また、所定の情報の通知（例えば、「Ｘであること」の通知）は、明示的に行うものに限られず、暗黙的に（例えば、当該所定の情報の通知を行わないことによって）行われてもよい。
【０１６７】
情報の通知は、本明細書で説明した態様／実施形態に限られず、他の方法で行われてもよい。例えば、情報の通知は、物理レイヤシグナリング（例えば、ＤＣＩ（Downlink  Control  Information）、ＵＣＩ（Uplink  Control  Information））、上位レイヤシグナリング（例えば、ＲＲＣ（Radio  Resource  Control）シグナリング、ＭＡＣ（Medium  Access  Control）シグナリング、報知情報（ＭＩＢ（Master  Information  Block）、ＳＩＢ（System  Information  Block）））、その他の信号又はこれらの組み合わせによって実施されてもよい。また、ＲＲＣシグナリングは、ＲＲＣメッセージと呼ばれてもよく、例えば、ＲＲＣ接続セットアップ（RRCConnectionSetup）メッセージ、ＲＲＣ接続再構成（RRCConnectionReconfiguration）メッセージなどであってもよい。
【０１６８】
本明細書で説明した各態様／実施形態は、ＬＴＥ（Long  Term  Evolution）、ＬＴＥ−Ａ（LTE-Advanced）、ＳＵＰＥＲ  ３Ｇ、ＩＭＴ−Ａｄｖａｎｃｅｄ、４Ｇ、５Ｇ、ＦＲＡ（Future  Radio  Access）、ＣＤＭＡ２０００、ＵＭＢ（Ultra  Mobile  Broadband）、ＩＥＥＥ  ８０２．１１（Ｗｉ−Ｆｉ）、ＩＥＥＥ  ８０２．１６（ＷｉＭＡＸ）、ＩＥＥＥ  ８０２．２０、ＵＷＢ（Ultra-WideBand）、Ｂｌｕｅｔｏｏｔｈ（登録商標）、その他の適切なシステムを利用するシステム及び／又はこれらに基づいて拡張された次世代システムに適用されてもよい。
【０１６９】
本明細書で説明した各態様／実施形態の処理手順、シーケンス、フローチャートなどは、矛盾の無い限り、順序を入れ替えてもよい。例えば、本明細書で説明した方法については、例示的な順序で様々なステップの要素を提示しており、提示した特定の順序に限定されない。
【０１７０】
以上、本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【０１７１】
本出願は、２０１５年８月１４日出願の特願２０１５−１６０１９９及び２０１５年９月２４日出願の特願２０１５−１８７２２３に基づく。この内容は、全てここに含めておく。
【図１】
2017030053.tif 000003
【図２】
2017030053.tif 000004
【図３】
2017030053.tif 000005
【図４】
2017030053.tif 000006
【図５】
2017030053.tif 000007
【図６】
2017030053.tif 000008
【図７】
2017030053.tif 000009
【図８】
2017030053.tif 000010
【図９】
2017030053.tif 000011
【図１０】
2017030053.tif 000012
【図１１】
2017030053.tif 000013
【図１２】
2017030053.tif 000014
【図１３】
2017030053.tif 000015
【図１４】
2017030053.tif 000016
【図１５】
2017030053.tif 000017
【図１６】
2017030053.tif 000018
【国際調査報告】
2017030053.tif 000019
2017030053.tif 000020
2017030053.tif 000021
2017030053.tif 000022